(57)【特許請求の範囲】
【請求項１】
プリンターに装填されたライナーレスラベルに印字する印字データを作成するコンピューターを、
前記ライナーレスラベルと前記ライナーレスラベルにレイアウトされた印字項目のフォーマットを記憶するフォーマット記憶手段と、該フォーマット記憶手段でフォーマットされた前記ライナーレスラベルと該レイアウトされた印字項目を表示する表示手段と、前記印字項目に印字データを入力する印字データ入力手段と、設定された幅と高さの印字領域が形成された印字項目と、幅だけが設定されて高さは入力される印字データ量に応じて自動的に長手方向に伸縮する印字項目とを選択する選択手段と、該選択手段によっていずれかの印字項目かを印字項目の枠内を色分けして区別し、前記選択手段で選択された印字項目をレイアウトするレイアウト設定手段、として機能させることを特徴とする印字データ作成プログラム。
【発明の詳細な説明】
【技術分野】
【０００１】
本発明は、プリンターに装填されたライナーレスラベルに印字する印字データをコンピューター上で作成する印字データ作成プログラムに関するものである。
【背景技術】
【０００２】
従来、ラベルが装填されたプリンターには、プリンター自体に文字キーや数字キーなどを備えて、印字データを作成することができるスタンドアロンタイプと、印字データをパーソナルコンピューター（以下、ＰＣという。）上で作成して、ＰＣと有線または無線で接続することによって、ＰＣから送信された印字データに基づいてラベルを作成するオンラインタイプに大別される。また、この両方の機能を備えたプリンターもある。
【０００３】
近年、環境に優しいラベルとして台紙を必要としないライナーレスラベルがプリンターに用いられている。このライナーレスラベルに印字する場合は、印字データ量に応じて任意にカットすることができるので、ライナーレスラベルの節約に繋がる。このような印字データ量に応じて任意にカットすることによりライナーレスラベルを節約をするプリンターがいろいろ提案されている。これらの中には、印字データ量が変動しても印字項目の間隔を維持したままライナーレスラベルをカットして見映えの影響を抑えたプリンターが知られている（特許文献１参照）。
【先行技術文献】
【特許文献】
【０００４】
【特許文献１】特開２０１２−０９１４１２号公報
【発明の概要】
【発明が解決しようとする課題】
【０００５】
しかしながら、特許文献１に記載の台紙レスラベルプリンタは、予め設定された印字項目の印字範囲に対して、印字データ量が少ない場合に台紙レスラベルの搬送方向の上流側に詰めて印刷されるようになっている。このような動作は、台紙レスラベルプリンタに搭載されたフラッシュメモリに記憶された制御プログラムをＣＰＵで実行することによって台紙レスラベルに印字しながら発行しているが、どのように台紙レスラベルの搬送方向の上流側に詰められたかを確認するには、台紙レスラベルを発行してみないと分からないと言う問題があった。
【０００６】
本発明は、上記問題に鑑みてなされたものであって、コンピューター上で印字データ作成アプリケーションを起動させることによって、ライナーレスラベルのイメージを表示させて印字項目をレイアウトし、それぞれの印字項目に印字データを入力することでＰＣの画面上で確認しながら印字データを作成する印字データ作成プログラムを提供することを目的とする。
【課題を解決するための手段】
【０００７】
上記の課題を解決するために請求項１に記載の印字データ作成プログラムは、プリンターに装填されたライナーレスラベルに印字する印字データを作成するコンピューターを、前記ライナーレスラベルと前記ライナーレスラベルにレイアウトされた印字項目のフォーマットを記憶するフォーマット記憶手段と、該フォーマット記憶手段でフォーマットされた前記ライナーレスラベルと該レイアウトされた印字項目を表示する表示手段と、前記印字項目に印字データを入力する印字データ入力手段と、設定された幅と高さの印字領域が形成された印字項目と、幅だけが設定されて高さは入力される印字データ量に応じて自動的に長手方向に伸縮する印字項目とを選択する選択手段と、該選択手段によっていずれかの印字項目かを印字項目の枠内を色分けして区別し、前記選択手段で選択された印字項目をレイアウトするレイアウト設定手段、として機能させるものである。
【発明の効果】
【０００８】
請求項１に記載の印字データ作成プログラムは、プリンターに装填されたライナーレスラベルに印字する印字データを作成するコンピューターを、前記ライナーレスラベルと前記ライナーレスラベルにレイアウトされた印字項目のフォーマットを記憶するフォーマット記憶手段と、該フォーマット記憶手段でフォーマットされた前記ライナーレスラベルと該レイアウトされた印字項目を表示する表示手段と、前記印字項目に印字データを入力する印字データ入力手段と、設定された幅と高さの印字領域が形成された印字項目と、幅だけが設定されて高さは入力される印字データ量に応じて自動的に長手方向に伸縮する印字項目とを選択する選択手段と、該選択手段によっていずれかの印字項目かを印字項目の枠内を色分けして区別し、前記選択手段で選択された印字項目をレイアウトするレイアウト設定手段、として機能させるので、それぞれの印字項目間のスペースを維持したまま幅だけが設定されて高さは入力される印字データ量に応じて自動的に長手方向に伸縮する印字項目がレイアウトされた場合でも、全体の印字項目が同じ見映えで印字データを作成することができる。
【図面の簡単な説明】
【０００９】
【図１】本発明に係る印字データ作成装置の印字システムの全体斜視図である。
【図２】本発明に係る印字データ作成装置の印字システムを構成するプリンターの概略断面図である。
【図３】本発明に係る印字データ作成装置の一例としてのＰＣの制御部の構成を示すブロック図である。
【図４】本発明に係る印字データ作成装置のＬＣＤに表示される印字データ作成アプリケーションが起動した時のホーム画面であって、ワークエリアに呼出番号００１の印字項目がレイアウトされたイメージ図である。
【図５】本発明に係る印字データ作成装置のＬＣＤに表示される印字データ作成アプリケーションが起動した時のホーム画面であって、ワークエリアに呼出番号００２の印字項目がさらにレイアウトされたイメージ図である。
【図６】本発明に係る印字データ作成装置のＬＣＤに表示される印字データ作成アプリケーションが起動した時のホーム画面であって、ワークエリアに呼出番号００３の印字項目がさらにレイアウトされたイメージ図である。
【図７】本発明に係る印字データ作成装置のＬＣＤのワークエリアにレイアウトされる印字項目のレイアウトファイルのデータ構成図である。
【図８】本発明に係る印字データ作成装置のＬＣＤのワークエリアにレイアウトされる印字項目の商品ファイルのデータ構成図である。
【図９】本発明に係る印字データ作成装置で印字データを作成する方法について説明するフローチャートである。
【発明を実施するための形態】
【００１０】
以下の実施例にて、本発明に係る印字データ作成装置および印字データ作成プログラムについて実施例に基づいて詳述する。なお、本発明については、実施例の詳細な説明だけに限定されるものでなく、本発明の要旨を逸脱しない範囲で適宜変更可能である。
【実施例】
【００１１】
本実施例では、本発明に係る印字データ作成装置の一例としてノートブックタイプのＰＣについて説明する。図１は、本発明に係る印字データ作成装置の印字システムの全体斜視図である。図１において、ＰＣ２とプリンター３は、ＵＳＢケーブル４で接続されて印字システム１が構成されている。ＰＣ２には、印字データを作成する印字データ作成プログラムがインストールされている。図１では、ＰＣ２とプリンター３がＵＳＢケーブル４で接続されているが、有線ＬＡＮや無線ＬＡＮやブルートゥース（登録商標）などの無線通信で接続することもできる。
【００１２】
ＰＣ２にインストールされた印字データ作成プログラムを実行することにより、印字データ作成アプリケーションが起動し印字データを作成することができる。ＰＣ２で作成された印字データがＰＣ２とプリンター３を接続したＵＳＢケーブル４を介して通信することによって、ＰＣ２上で作成された印字データがプリンター３に送信されて、プリンター３に装填されたライナーレスラベル５をオンライン発行する。
【００１３】
ＰＣ２とプリンター３が接続したＵＳＢケーブル４を介して通信することによって、印字データがプリンター３に保存され、スタンドアロンタイプとしてプリンター３を持ち歩いて店舗内などでライナーレスラベル５を発行することもできる。通常、スタンドアロンタイプとして使用されるプリンター３は、ＡＣ駆動の他に持ち運びできるようにバーテリー駆動でも印字できるような仕様になっている。また、ＰＣ２は、主として本体６、ＬＣＤ７、キーボード８、ＣＤ−ＲＯＭドライブ９およびマウス１０とで構成されている。
【００１４】
図２は、本発明に係る印字データ作成装置の印字システムを構成するプリンターの概略断面図である。図２において、プリンター３には、上流側（排出口と反対側）にロール状に巻回されたライナーレスラベル５が装填され、排出口から発行されたライナーレスラベル５がカッター１１で所定の長さにカットされる。また、カッター１１より排出側の近傍にライナーレスラベル５が取り除かれたかどうかを検出するライナーレスラベル検出センサー２３が配設されている。
【００１５】
プリンター３は、主としてカバー２５と下部フレーム２６とで構成され、下部フレーム２６の後端に設けられたヒンジ２４回りにカバー２５が回動するようになっている。また、カッター１１のやや上流側には、サーマルヘッド２７にプラテンローラー２８が弾接されて配設され、ライナーレスラベル５を挟持して印字しながら発行する。一方、サーマルヘッド２７とプラテンローラー２８とから構成されている印字部と巻回されて装填されたライナーレスラベル５との間に、テンションガイド２９が上方からライナーレスラベル５が弛まないようにガイドしている。
【００１６】
図３は、本発明に係る印字データ作成装置の一例としてのＰＣの制御部の構成を示すブロック図である。図３において、制御部１２は、主としてＣＰＵ１３、ＲＯＭ１４、ＲＡＭ１５、ＣＤ−ＲＯＭドライブ９、ＨＤＤ１７、ＵＳＢインターフェース１８、インターフェース１９、通信インターフェース２２とで構成され、各部は、バスライン２０を介してＣＰＵ１３に接続されている。
【００１７】
ＣＰＵ１３は、ＲＯＭ１４に記憶されたＢＩＯＳなどのプログラムを実行することによってＰＣ２の各部を制御する。印字データ作成プログラムと印字データ作成プログラムを実行する時に使用される各種設定値や各種データが外部記憶媒体であるＣＤ−ＲＯＭ１６に記憶され、このＣＤ−ＲＯＭ１６がＣＤ−ＲＯＭドライブ９に挿入されると、読み込みされてＨＤＤ１７のそれぞれの記憶エリアに記憶される。このＨＤＤ１７には、後述するレイアウトファイル１０７や商品ファイル１０９なども記憶される。また、ＲＡＭ１５は、ＣＰＵ１３が各種処理を行う上で必要となる各種データをＨＤＤ１７から読み出して一時的に記憶する。
【００１８】
モデム２１が通信インターフェース２２に接続され、モデム２３からネットワークに接続される。ＰＣ２上で印字データ作成プログラムと印字データ作成プログラムが実行される時に使用される各種設定値や各種データをモデム２１を介してネットワーク上からダウンロードすることもできる。
【００１９】
プリンター３は、ＵＳＢケーブル４でＵＳＢインターフェース１８に接続され、バスライン２０を介してＣＰＵ１３に接続されている。ＬＣＤ７、キーボード８、マウス１０は、インターフェース１９に接続され、バスライン２０を介してＣＰＵ１３に接続されている。
【００２０】
図４は、本発明に係る印字データ作成装置のＬＣＤに表示される印字データ作成アプリケーションが起動した時のホーム画面であって、ワークエリアに呼出番号００１の印字項目がレイアウトされたイメージ図である。図４において、ＰＣ２のキーボード８を操作してＨＤＤ１７に記憶された印字データ作成プログラムをＣＰＵ１３が実行すると、印字データ作成アプリケーションが起動してライナーレスラベル５のフォーマットの選択画面が表示される。
【００２１】
選択画面でライナーレスラベル５のフォーマットを選択すると、ＬＣＤ７にホーム画面１００が表示され、後述するワークエリア１０３にライナーレスラベル５の幅６０ｍｍが選択された場合のイメージが表示されている。ホーム画面１００の上段には、ラベルサイズを定義したり各種設定などを行うメニューバー１０１が設けられ、その下には下位のメニューが配置されたツールバー１０２が設けられている。ホーム画面１００の中央付近には、選択されたライナーレスラベル１０５のイメージに各種印字項目をレイアウトするワークエリア１０３が設けられている。
【００２２】
ワークエリア１０３とツールバー１０２との間には、ライナーレスラベル５のイメージを幅ごとにレイアウトすることができるレイアウトタブ１０４が設けられている。図４では、幅が６０ｍｍの場合のレイアウトタブが作成されている。また、ワークエリア１０３の左欄には、選択されたライナーレスラベル１０５のイメージにレイアウトされる各種印字項目、たとえば、文字項目、バーコード項目、価格項目、日時項目、直線項目、斜線項目、イメージ項目、リサイクルマーク項目などを作成するツールボックス１０５が設けられている。図４では、ツールボックス１０５の文字項目を使って、商品名と原材料名の印字項目がワークエリア１０３にレイアウトされている。
【００２３】
ワークエリア１０３の下段には、ワークエリア１０３にレイアウトされたそれぞれの印字項目に後述する図７のようなレイアウトファイル１０７で設定されたフォーマットで印字データを入力する入力エリア１０６が設けられている。図４では、ツールボックス１０５の文字項目から商品名と原材料名の印字項目がレイアウトされ、後述する図７のように商品名の印字項目は、伸縮フラグが「０」と設定され、一方、原材料名の印字項目は、伸縮フラグが「１」と設定されている。
【００２４】
それぞれの印字項目には、印字データとして「商品名：ロースかつ弁当」、「原材料名：ご飯、揚げ物」と入力され、それぞれの印字項目と関連付けられるように呼出番号に００１と入力されている。また、最下段の印字項目である原材料項目の下辺からＳ２のスペースを置いてカットライン１０８が線引きされている。すなわち、ライナーレスラベル１０５のイメージの下辺がカットライン１０８として線引きされている。カットライン１０８は、カットライン１０８上にポインターを置いてドラッグすることにより任意の位置に移動させることができる。
【００２５】
図５は、本発明に係る印字データ作成装置のＬＣＤに表示される印字データ作成アプリケーションが起動した時のホーム画面のイメージ図であって、ワークエリアに呼出番号００２の印字項目がさらにレイアウトされたイメージ図である。図５は、図４に対して原材料名の印字項目の印字データが２行になった場合で、その他は、図４と同一である。すなわち、商品名と原材料名の印字項目の位置関係は同じで、原材料名の印字項目の高さが伸長したものである。
【００２６】
図５において、原材料名の印字項目に印字データとして「原材料名：ご飯、揚げ物、△△△△△キャベツ」（△印は、スペースを示している。）と入力され、それぞれの印字項目と関連付けられるように呼出番号に００２と入力されている。ここで、原材料名の印字項目が長手方向に伸長するとともに、カットライン１０８も所定のスペースＳ２を維持しながら連動して長手方向に移動している。
【００２７】
図６は、本発明に係る印字データ作成装置のＬＣＤに表示される印字データ作成アプリケーションが起動した時のホーム画面であって、ワークエリアに呼出番号００３の印字項目がさらにレイアウトされたイメージ図である。図６は、図４および図５に対して原材料名の印字項目に印字データが入力されていない場合で、その他は、図４および図５と同一である。すなわち、商品名の印字項目の位置関係は同じで、原材料名の印字項目がレイアウトされていないものである。図６において、商品名の印字項目とが関連付けられるように呼出番号に００３と入力されている。ここで、原材料名の印字項目がレイアウトされていないので、カットライン１０８も商品名の印字項目から所定のスペースＳ２を維持しながら連動して長手方向と反対方向に移動している。
【００２８】
図７は、本発明に係る印字データ作成装置のＬＣＤのワークエリアにレイアウトされる印字項目のレイアウトファイルのデータ構成図である。フォーマット記憶手段としてのレイアウトファイル１０７は、レイアウトタブで作成されたライナーレスラベル５のイメージを幅ごとにフォーマットされるとともに、レイアウトされる印字項目もフォーマットされている。図７では、幅が６０ｍｍの場合についてのレイアウトファイル１０７が表示されている。図４〜６において、商品名の印字項目をワークエリア１０３の任意の位置にレイアウトすると、商品名の印字項目の左上コーナーを基準として（０，０）からＸ１、Ｙ１の長さがレイアウトファイル１０７の印字開始位置項目に記憶される。同様に、図４および５において、原材料名の印字項目のＸ１、Ｙ２が記憶される。
【００２９】
レイアウトファイル１０７のそれぞれの印字項目の幅、フォント種類、フォントサイズは、それぞれの印字項目のプロパティで変更することができるようになっているとともに、印字開始位置、幅は、ワークエリア１０３にレイアウトされた印字項目のハンドルを移動することによっても変更することができる。
【００３０】
伸縮フラグは、「０」と「１」に設定され、「０」に設定されると印字項目の幅、高さに設定された印字領域が形成され、その印字領域内に印字データを入力することができ、一方、「１」に設定されると、幅だけが設定され、高さは印字項目に入力される印字データ量に応じて自動的に長手方向に伸縮する。また、ワークエリア１０３上でレイアウトされた印字項目の伸縮フラグが「０」か「１」かに設定されているかは印字項目の枠内を色分けして区別されている。図４および５においては、伸縮フラグが「１」に設定されている原材料名の印字項目内をカラーにして区別している。
【００３１】
図８は、本発明に係る印字データ作成装置のＬＣＤのワークエリアにレイアウトされる印字項目の商品ファイルのデータ構成図である。商品ファイル１０９は、レイアウトタブで作成されたライナーレスラベル５のイメージを幅ごとに作成される。図４および５では、幅が６０ｍｍの場合についての商品ファイル１０９が表示されている。図４および５では、入力エリア１０６からそれぞれの印字項目にレイアウトファイル１０７で設定されたフォーマットで印字データが入力されると、それらの印字データが商品ファイル１０９に記憶される。
【００３２】
図９は、本発明に係る印字データ作成装置で印字データを作成する方法について説明するフローチャートである。図９に基づいて、レイアウト設定手段について詳述する。印字データ作成アプリケーションを起動すると、ライナーレスラベル５のフォーマットを選択する画面が表示されるので、幅を選択する（ステップ１）。すると、ワークエリア１０３にライナーレスラベル５の幅が６０ｍｍのイメージが表示される。
【００３３】
ツールボックス１０５の文字項目から商品名と原材料名の印字項目を任意の位置にレイアウトする（ステップ２）。入力エリア１０６から商品名と原材料名を印字データとして入力する（ステップ３）。続けて、それぞれの印字項目が関連付けられるように呼出番号を入力する（ステップ４）。
【００３４】
次に、レイアウトファイル１０７で伸縮フラグが「０」に設定されると（ステップ５）、印字項目に入力される印字データ量に係わらず設定された幅と高さの印字領域が形成され、この印字領域内に印字データが表示される（ステップ６）。レイアウトファイル１０７で商品名の印字項目の伸縮フラグが「０」に設定されているので、図４〜６のように商品名に入力される印字データ量に係わらず幅がＷ１、高さがＨ１の印字領域が形成されている。
【００３５】
一方、伸縮フラグが「１」に設定され（ステップ５）、印字項目に印字データが入力されている場合は（ステップ７）、高さは印字項目に入力された印字データ量に応じて自動的に長手方向に伸縮する（ステップ８）。図５において、原材料名の印字項目の伸縮フラグが「１」に設定され、図４に対して印字データも多く入力されているので、印字データ量に応じて高さＨ２が自動的に長手方向に伸長している。このように伸縮フラグが「１」に設定されることによって、レイアウト設定手段として機能している。
【００３６】
伸縮フラグが「１」に設定され（ステップ５）、印字項目に印字データが入力されていない場合は（ステップ７）、この印字項目がレイアウトされない（ステップ９）。図６において、原材料名の印字項目に印字データが入力されていないので、原材料名の印字項目がレイアウトされていない。
【００３７】
伸縮フラグが「１」に設定された印字項目に印字データが入力されない場合は、伸縮フレイアウトされることなく、以降の印字項目が詰められてレイアウトされる。図６において、原材料名の印字項目の伸縮フラグが「１」に設定されているが印字データが入力されていないため、原材料名の印字項目がレイアウトされていない。そして、カットライン１０８の位置は、原材料名の印字項目がレイアウトされないので、商品名の印字項目が最下段の印字項目となって商品名の印字項目の下辺からＳ２のスペースをおいて線引きされる。
【００３８】
本実施例では、印字データ作成装置の一例としてノートブックタイプのＰＣ２について説明しているが、印字データ作成プログラムがインストールされて実行することにより、印字データ作成アプリケーションが起動するコンピューターであれば、デスクトックやモバイル機器などにも適用される。
【００３９】
また、本実施例では、分かり易いように２つの印字項目がレイアウトされ、１つの印字項目の伸縮フラグが「１」と設定された場合について説明しているが、レイアウトされた印字項目の数が３つ以上の場合でも、伸縮フラグが「１」と設定された印字項目の数が２つ以上の場合でも同様に説明できる。また、レイアウトファイル１０７で設定された印字項目のフォーマットの設定を変更することによって、印字項目が長手方向に伸縮する場合も同様に説明できる。
【００４０】
また、本実施例では、ツールボックス１０５の文字項目から商品名と原材料名の印字項目を作成した場合について説明しているが、入力される印字データによってバーコード項目など長手方向に伸縮する印字項目についても同様に説明できる。これらの場合でも、カットライン１０８の位置は、最下段の印字項目の移動に連動して最下段の印字項目の下辺から所定のスペースＳ２を維持しながら移動する。
【産業上の利用可能性】
【００４１】
近年、商品にラベルを貼付する場合、環境にやさしいラベルとして台紙の無いライナーレスラベルが徐々に使用されるようになっている。ライナーレスラベルの場合、印字データ量に応じて任意の位置にカットできるので、無駄なライナーレスラベルを発行する必要がなくなりライナーレスラベルの節約にもつながる。
【符号の説明】
【００４２】
１    印字システム
２    ＰＣ（パーソナルコンピューター）
３    プリンター
４    ＵＳＢケーブル
５    ライナーレスラベル
６    本体
７    ＬＣＤ
８    キーボード
９    ＣＤ−ＲＯＭドライブ
１０    マウス
１１    カッター
１２    制御部
１３    ＣＰＵ
１４    ＲＯＭ
１５    ＲＡＭ
１６    ＣＤ−ＲＯＭ
１７    ＨＤＤ
１８    ＵＳＢインターフェース
１９    インターフェース
２０    バスライン
２１    モデム
２２    通信インターフェース
２３    ライナーレスラベル検出センサー
２４    ヒンジ
２５    カバー
２６    下部フレーム
２７    サーマルヘッド
２８    プラテンローラー
２９    テンションガイド
１００    ホーム画面
１０１    メニューバー
１０２    ツールバー
１０３    ワークエリア
１０４    レイアウトタブ
１０５    ツールボックス
１０６    入力エリア
１０７    レイアウトファイル
１０８    カットライン
１０９    商品ファイル
【図１】
0006518983.tif 000002
【図２】
0006518983.tif 000003
【図３】
0006518983.tif 000004
【図４】
0006518983.tif 000005
【図５】
0006518983.tif 000006
【図６】
0006518983.tif 000007
【図７】
0006518983.tif 000008
【図８】
0006518983.tif 000009
【図９】
0006518983.tif 000010